(57)【要約】【課題】防災システムについて設置スペースを低減し且つコストを低減することが可能な中継装置を提供すること。【解決手段】  切離用中継装置１であって、受信機９側からの電力又は電気信号が入力される一次側端子群１１と、一次側端子群１１に入力された電力又は電気信号を出力する二次側端子群１２であって、ベル装置、防火戸装置、及びガス漏れ検知器が電気的に接続される二次側端子群１２と、電気的に開閉する複数の接点群１３と、を備え、一次側端子群１１と二次側端子群１２とは、複数の接点群１３を介して相互に電気的に接続されており、複数の接点群１３は、自己よりも下流側で異常が発生していない場合に、閉じて電気的に接続し、自己よりも下流側で異常が発生した場合に、開いて電気的に遮断する。【選択図】図３
2020018142.tif 000002
【特許請求の範囲】
【請求項１】
中継装置であって、
防災受信機側からの電力又は電気信号が入力される複数の入力手段と、
前記複数の入力手段に入力された電力又は電気信号を出力する複数の出力手段であって、防災設備が電気的に接続される複数の出力手段と、
電気的に開閉する複数の開閉手段と、を備え、
前記複数の入力手段各々と前記複数の出力手段各々とは、前記複数の開閉手段各々を介して相互に電気的に接続されており、
前記複数の開閉手段は、自己よりも下流側で異常が発生していない場合に、閉じて電気的に接続し、自己よりも下流側で異常が発生した場合に、開いて電気的に遮断する、
中継装置。
【請求項２】
前記複数の入力手段に入力された電力又は電気信号を中継する複数の中継手段、を備えており、
前記複数の中継手段各々は、前記複数の入力手段各々と前記複数の出力手段各々との間に電気的に接続されている、
請求項１に記載の中継装置。
【請求項３】
前記複数の開閉手段は、
前記防災受信機側からの電力について開閉する電力開閉手段と、
前記防災受信機側からの電気信号について開閉する電気信号開閉手段であって、前記電力開閉手段とは択一的に用いられる前記電気信号開閉手段と、を備えており、
前記中継装置は、
前記複数の入力手段各々と前記複数の出力手段各々とを、前記電力開閉手段を介して相互に電気的に接続するか、前記電気信号開閉手段を介して相互に電気的に接続するかを切り替える切替手段、を備える、
請求項１又は２に記載の中継装置。
【請求項４】
前記切替手段をマニュアル制御するためのマニュアル入力を受け付ける受付手段、を備え、
前記切替手段は、前記受付手段が受け付けたマニュアル入力に基づいて切り替える、
請求項３に記載の中継装置。
【請求項５】
前記切替手段は、前記複数の入力手段への入力に基づいて切り替える、
請求項３に記載の中継装置。
【請求項６】
前記切替手段をマニュアル制御するためのマニュアル入力を受け付ける受付手段、を備え、
前記切替手段は、設定情報に基づいて、前記受付手段が受け付けたマニュアル入力に基づいて切り替える第１切替処理、又は、前記複数の入力手段への入力に基づいて切り替える第２切替処理のうちの一方の処理を行う、
請求項３に記載の中継装置。
【請求項７】
前記切替手段による切替状態を出力する切替状態出力手段、を備える、
請求項３から６の何れか一項に記載の中継装置。
【請求項８】
前記中継装置を診断する診断手段、を備える、
請求項１から７の何れか一項に記載の中継装置。
【発明の詳細な説明】
【技術分野】
【０００１】
本発明は、中継装置に関する。
【背景技術】
【０００２】
従来、監視領域を管理する機器としてＲ型防災受信機が知られていた（例えば、特許文献１参照）。このＲ型防災受信機は、一般的には、ベル装置や防火戸装置の如き防災設備に電気的に接続されており、当該防災設備側に電力を供給し、また、電気信号を送信することにより、防災設備を制御していた。
【０００３】
しかしながら、Ｒ型防災受信機には幹線配線が接続されており、当該幹線配線の分岐点から分岐する分岐配線が１つの幹線配線に対して複数設けられており、この複数の分岐配線各々に防災設備が接続されるように構成されていたので、１つの分岐配線にて短絡が発生した場合、短絡の悪影響が当該１つの分岐配線に接続されている配線全てに波及してしまう可能性があった。
【０００４】
そこで、分岐配線の途中（つまり、例えば、幹線配線の分岐点と防災設備との間）に接続される短絡切離用中継器が提案されていた。この短絡切離用中継器は、自己よりも下流側で短絡が発生した場合に、分岐配線を電気的に遮断することにより、短絡の悪影響が配線全てに波及することを防止していた。
【先行技術文献】
【特許文献】
【０００５】
【特許文献１】特開２０１６−０４０６８５号公報
【発明の概要】
【発明が解決しようとする課題】
【０００６】
しかしながら、従来の短絡切離用中継器においては、例えば、各防災設備毎に設ける必要があったので、多数必要になり防災システムの設置スペースが増大してしまったり、あるいは、防災システムのコストが嵩んでしまったりする可能性があった。特に、短絡の悪影響をより効果的に防止する観点からは、短絡切離用中継器については、電力を電気的に遮断するものと、電気信号を電気的に遮断するものの２種類設ける必要があったので、防災システムの設置スペースが更に増大してしまったり、あるいは、防災システムのコストが更に嵩んでしまったりする可能性があった。
【０００７】
本発明は上記問題に鑑みてなされたもので、防災システムについて設置スペースを低減し且つコストを低減することが可能な中継装置を提供することを目的とする。
【課題を解決するための手段】
【０００８】
上述した課題を解決し、目的を達成するために、請求項１に記載の中継装置は、中継装置であって、防災受信機側からの電力又は電気信号が入力される複数の入力手段と、前記複数の入力手段に入力された電力又は電気信号を出力する複数の出力手段であって、防災設備が電気的に接続される複数の出力手段と、電気的に開閉する複数の開閉手段と、を備え、前記複数の入力手段各々と前記複数の出力手段各々とは、前記複数の開閉手段各々を介して相互に電気的に接続されており、前記複数の開閉手段は、自己よりも下流側で異常が発生していない場合に、閉じて電気的に接続し、自己よりも下流側で異常が発生した場合に、開いて電気的に遮断する。
【０００９】
また、請求項２に記載の中継装置は、請求項１に記載の中継装置において、前記複数の入力手段に入力された電力又は電気信号を中継する複数の中継手段、を備えており、前記複数の中継手段各々は、前記複数の入力手段各々と前記複数の出力手段各々との間に電気的に接続されている。
【００１０】
また、請求項３に記載の中継装置は、請求項１又は２に記載の中継装置において、前記複数の開閉手段は、前記防災受信機側からの電力について開閉する電力開閉手段と、前記防災受信機側からの電気信号について開閉する電気信号開閉手段であって、前記電力開閉手段とは択一的に用いられる前記電気信号開閉手段と、を備えており、前記中継装置は、前記複数の入力手段各々と前記複数の出力手段各々とを、前記電力開閉手段を介して相互に電気的に接続するか、前記電気信号開閉手段を介して相互に電気的に接続するかを切り替える切替手段、を備える。
【００１１】
また、請求項４に記載の中継装置は、請求項３に記載の中継装置において、前記切替手段をマニュアル制御するためのマニュアル入力を受け付ける受付手段、を備え、前記切替手段は、前記受付手段が受け付けたマニュアル入力に基づいて切り替える。
【００１２】
また、請求項５に記載の中継装置は、請求項３に記載の中継装置において、前記切替手段は、前記複数の入力手段への入力に基づいて切り替える。
【００１３】
また、請求項６に記載の中継装置は、請求項３に記載の中継装置において、前記切替手段をマニュアル制御するためのマニュアル入力を受け付ける受付手段、を備え、前記切替手段は、前記受付手段が受け付けたマニュアル入力に基づいて切り替える第１切替処理、又は、前記複数の入力手段への入力に基づいて切り替える第２切替処理のうちの一方の処理を行う。
【００１４】
また、請求項７に記載の中継装置は、請求項３から６の何れか一項に記載の中継装置において、前記切替手段による切替状態を出力する切替状態出力手段、を備える。
【００１５】
また、請求項８に記載の中継装置は、請求項１から７の何れか一項に記載の中継装置において、前記中継装置を診断する診断手段、を備える。
【発明の効果】
【００１６】
請求項１に記載の中継装置によれば、電力又は電気信号が入力される複数の入力手段と、複数の出力手段と、複数の開閉手段とを備えることにより、例えば、１つの中継装置にて防災受信機と複数の防災設備との間を開閉することができるので、中継装置の個数を低減することができ、防災システムについて設置スペースを低減し且つコストを低減することが可能となる。また、例えば、中継装置の個数を低減することにより、環境負荷を低減することが可能となる。また、例えば、１つの中継装置にて電力及び電気信号を遮断する機能を有するので、従来のように短絡切離用中継器を２種類製造する場合に比べて、部品点数を減少させることができ、中継装置の低コスト化を図ることが可能となる。
【００１７】
請求項２に記載の中継装置によれば、中継手段を備えることにより、例えば、１つの中継装置にて従来の中継器（例えば、ベル用中継器、及び防排煙用中継器等）の機能も実現することができるので、中継装置とは別に設けられる従来の中継器の個数を低減することができ、防災システムについて設置スペース及びコストを一層低減することが可能となる。
【００１８】
請求項３に記載の中継装置によれば、切替手段を備えることにより、例えば、中継装置の各入力手段に対して電気信号又は電力の何れを入力しても正常に動作させることができるので、あらゆる現場に対応できる使い勝手のよい中継装置を提供することが可能となる。
【００１９】
請求項４に記載の中継装置によれば、マニュアル入力に基づいて切り替えることにより、例えば、ユーザの意図通りに切り替えることができるので、中継装置の使い勝手を向上させることが可能となる。
【００２０】
請求項５に記載の中継装置によれば、入力手段への入力に基づいて切り替えることにより、例えば、自動的に切り替えることができるので、ユーザによる切替の手間を省いたり、ヒューマンエラーの発生を防止することができ、使い勝手及び防災性を向上させることが可能となる。
【００２１】
請求項６に記載の中継装置によれば、マニュアル入力に基づいて切り替える第１切替処理、又は入力手段への入力に基づいて切り替える第２切替処理のうちの一方の処理を行うことにより、例えば、ユーザの意図通りに切り替えたり、自動的に切り替えたりすることができるので、ユーザのニーズに応じて切替処理を選択させることができ、使い勝手及び防災性を向上させることが可能となる。
【００２２】
請求項７に記載の中継装置によれば、切替状態を出力することにより、例えば、ユーザに対して中継装置の状態を報知することができるので、中継装置を容易に管理することが可能となる。
【００２３】
請求項８に記載の中継装置によれば、中継装置を診断することにより、例えば、中継装置が正常であるか否を常に把握することができるので、中継装置を正常な状態に維持することができ、防災性を向上させることが可能となる。
【図面の簡単な説明】
【００２４】
【図１】本発明の実施の形態１及び３に係る防災システムの接続図である。
【図２】切離用中継装置を示す回路図である。
【図３】切離用中継装置を示すブロック図である。
【図４】切離処理のフローチャートである。
【図５】短絡位置を示す防災システムの接続図である。
【図６】本発明の実施の形態２に係る防災システムの接続図である。
【図７】切離用中継装置を示す回路図である。
【図８】本発明の実施の形態３に係る切離用中継装置を示す回路図である。
【図９】切替処理のフローチャートである。
【発明を実施するための形態】
【００２５】
以下に、本発明に係る中継装置の各実施の形態を図面に基づいて詳細に説明する。なお、この各実施の形態によりこの発明が限定されるものではない。
【００２６】
〔実施の形態の基本的概念〕
まずは、各実施の形態の基本的概念について説明する。各実施の形態は、概略的に、中継装置に関するものである。
【００２７】
「中継装置」とは、防災受信機と防災設備との間で中継する装置であり、具体的には、防災受信機と防災設備との間に電気的に接続されるものであり、例えば、防災受信機と防災設備との間を電気的に接続したり電気的に遮断したりするものである。この中継装置は、例えば、少なくとも複数の入力手段、複数の出力手段、及び複数の開閉手段を備えるものであり、任意で、中継手段、切替手段、切替状態出力手段、又は診断手段を備えるものである。
【００２８】
また、「防災受信機」とは、監視領域を管理する機器であり、具体的には、火災、又はガス漏れ等の防災を行うものであって、例えば、防災設備を制御することにより防災を行うものであり、一例としては、Ｒ型受信機又はＰ型受信機等含む概念である。「Ｒ型受信機」とは、感知器と間で伝送を行うことにより防災を行う機器であり、また、「Ｐ型受信機」とは、感知器との間で個々に配線されて防災を行う機器である。
【００２９】
また、「感知器」とは、監視領域の火災又はガス漏れ等を検出する機器であって、防災受信機に対して電気的に接続される機器であり、例えば、煙感知器、熱感知器、火災感知器及びガス感知器等を含む概念である。「監視領域」とは、防災受信機による管理の対象となっている領域であり、具体的には、一定の広がりを持った空間であり、例えば、建築物のフロア（例えば、１階部分、２階部分等）、建築物の部屋（例えば、１階の部屋Ａ、１階の部屋Ｂ、２階の部屋Ｃ等）、廊下、階段等を含む概念である。
【００３０】
また、「防災設備」は、防災のために用いられる設備であって、具体的には、中継装置を介して防災受信機と電気的に接続されるものであり、例えば、ベル装置、防火戸装置、前述の感知器、ガス漏れ検知器、排煙ダンパー装置、発信機、及び中継器等を含む概念である。「ベル装置」とは、例えば、火災発生時に非常ベルを鳴動する公知の装置であり、また、「防火戸装置」とは、例えば、火災発生時に閉じて火災が広がることを防止する公知の装置であり、また、「ガス漏れ検知器」とは、例えば、ガス漏れを検知する公知の装置であり、また、「排煙ダンパー装置」とは、例えば、煙を排出する公知の装置であり、また、「発信機」とは、例えば、押下することにより火災を報知したり断定したりするための公知の装置である。なお、ここでの「ガス漏れ検知器」及び前述の「ガス漏れ感知器」については、相互に同様な概念であるものと解してもよいが、ここでは、例えば、壁に設けられるものが「ガス漏れ検知器」であり、天井に設けられるものが「ガス漏れ感知器」であることとして、説明する。また、「中継器」とは、防災受信機と防災設備との間で中継する装置であり、具体的には、防災受信機と防災設備との間に電気的に接続されるものであり、例えば、前述の中継装置とは異なる公知の装置であって、防災受信機と防災設備との間を電気的に接続したり電気的に遮断したりする機能を有していない公知の装置である。
【００３１】
また、「複数の入力手段」とは、防災受信機側からの電力又は電気信号が入力される手段であり、例えば、防災受信機側からの電力のみが入力される手段、防災受信機側からの電気信号のみが入力される手段、及び防災受信機側からの電力及び電気信号の両方が入力される手段を含む概念である。また、「複数の出力手段」とは、複数の入力手段に入力された電力又は電気信号を出力する手段であって、防災設備が電気的に接続される手段であり、例えば、電力のみを出力する手段、電気信号のみを出力する手段、及び電力及び電気信号の両方を出力する手段を含む概念である。また、この複数の入力手段各々と複数の出力手段各々とは、後述する複数の開閉手段各々を介して相互に電気的に接続されている。また、この入力手段及び出力手段の個数は２個以上である限りにおいて任意であり、例えば、３個、４個、５個以上等に対応する。
【００３２】
また、「電気信号」とは、電気的な信号であり、例えば、防災設備を制御するための命令の信号であり、一例としては、任意の規格のデジタル信号である。また、「電力」とは、防災設備を動作させるための電力であり、例えば、所定値の（例えば、２４Ｖ等）の動作電力である。
【００３３】
また、「複数の開閉手段」とは、電気的に開閉する手段であり、具体的には、自己よりも下流側で異常が発生していない場合に、閉じて電気的に接続し、自己よりも下流側で異常が発生した場合に、開いて電気的に遮断するものであり、例えば、電力開閉手段、又は電気信号開閉手段を含む概念である。「電力開閉手段」とは、電力について開閉する手段であり、また、「電気信号開閉手段」とは、電気信号について開閉する手段であって、電力開閉手段とは択一的に用いられる手段である。「下流側」とは、例えば、防災受信機側の反対側であって、防災設備側である。
【００３４】
また、「複数の中継手段」とは、複数の入力手段に入力された電力又は電気信号を中継する手段であり、例えば、前述の中継器と同様な機能を発揮する手段であり、一例としては、複数の入力手段各々と複数の出力手段各々との間に電気的に接続されている手段である。なお、詳細には、この複数の中継手段は、例えば、複数の出力手段各々と複数の開閉手段各々との間に電気的に接続してもよく、あるいは、複数の入力手段各々と複数の開閉手段各々との間に電気的に接続してもよい。また、「切替手段」とは、複数の入力手段各々と複数の出力手段各々とを、電力開閉手段を介して相互に電気的に接続するか、電気信号開閉手段を介して相互に電気的に接続するかを切り替える手段であり、例えば、ユーザからのマニュアル入力で切り替える手段、及び自動的に切り替える手段等を含む概念である。
【００３５】
また、「切替状態出力手段」とは、切替手段による切替状態を出力する手段であり、また、「診断手段」とは、中継装置を診断する手段である。
【００３６】
そして、以下の各実施形態では、「防災受信機」がＲ型受信機である場合について説明し、実施の形態１では、中継装置が複数の入力手段、複数の出力手段、及び複数の開閉手段を備える場合について説明し、実施の形態２では、中継装置が、実施の形態１の各手段に加えて中継手段を備える場合について説明し、実施の形態３では、中継装置が、実施の形態１の各手段に加えて切替手段を備える場合について説明し、切替状態出力手段及び診断手段については、変形例にて説明する。
【００３７】
［各実施の形態の具体的内容］
次に、各実施の形態の具体的内容について説明する。
【００３８】
（実施の形態１）
初めに、実施の形態１について説明する。なお、この実施の形態１においては、中継装置が複数の入力手段、複数の出力手段、及び複数の開閉手段を備える場合について説明する。
【００３９】
（構成）
まず、本実施の形態に係る防災システムの構成について説明する。図１は、本実施の形態に係る防災システムの接続図である。なお、受信機９には、監視領域の規模等に応じて任意の数の各幹線が接続されるが、ここでは、図１に示すように、伝送幹線Ｌ１１、第１制御幹線Ｌ１２、第２制御幹線Ｌ１３、第３制御幹線Ｌ１４を相互に同じ系統に用いられる幹線として図示して、これらの各幹線に着目して説明する。なお、「系統」とは、防災システム１００に含まれる防災設備の任意のグループであり、例えば、建物のフロア単位で分けられるグループ等を含む概念である。なお、本明細書における「第１」、「第２」、「第３」等の記載は、単に説明の便宜上付しているものである。
【００４０】
防災システム１００は、監視領域の防災を行うシステムであり、例えば、受信機９、第１機器群９１、及び第２機器群９２を備える。なお、第１機器群９１及び第２機器群９２は、相互に同様な構成であることとし、また、防災システム１００には、この第１機器群９１及び第２機器群９２と同様な機器群が他にも設けられるが、ここでは、第１機器群９１に着目して説明し、第２機器群９２及び他の機器群の説明は省略する（他の実施の形態でも同様とする）。
【００４１】
（構成−受信機）
受信機９は、前述のＲ型受信機である。この受信機９の具体的な種類や構成は任意であるが、例えば、特記する部分を除いて従来のＲ型受信機と同様に構成されており、一例としては、第１機器群９１の各機器を管理又は制御する装置である。受信機９は、例えば、伝送幹線Ｌ１１、第１制御幹線Ｌ１２、第２制御幹線Ｌ１３、及び第３制御幹線Ｌ１４が電気的に接続されているものである。なお、ここでの伝送幹線Ｌ１１、第１制御幹線Ｌ１２、第２制御幹線Ｌ１３、及び第３制御幹線Ｌ１４は、任意の配線（公知の配線を含む配線）を用いることができるが、ここでは、例えば、説明の便宜上、実線で図示している。また、これらの各幹線に直接的に又は間接的に接続される各支線も同様である。特に、各支線としての後述の伝送支線Ｌ２１、第１制御支線Ｌ２２、第２制御支線Ｌ２３、及び第３制御支線Ｌ２４については、例えば、一対の線、対線等による配線を用いることとして説明する。
【００４２】
（構成−受信機−伝送幹線）
【００４３】
伝送幹線Ｌ１１は、電気信号の伝送を行うための伝送手段であって、具体的には、伝送支線Ｌ２１を含む複数の伝送支線が分岐している配線であり、例えば、接続されている防災設備の種類を問わずに共通に設けられているものである。伝送支線Ｌ２１は、伝送幹線Ｌ１１とベル用中継器３１、防排煙用中継器３２、及びガス用中継器３３とを、切離用中継装置１を介して電気的に接続する配線である。
【００４４】
（構成−受信機−各制御幹線）
防災システム１００の各制御幹線は、制御を行うために動作電力を供給するための供給手段であり、具体的には、第１制御支線Ｌ２２、第２制御支線Ｌ２３、及び第３制御支線Ｌ２４各々を含む複数の制御支線が各々分岐している配線であり、例えば、接続されている防災設備の種類毎に設けられているものであって、第１制御幹線Ｌ１２、第２制御幹線Ｌ１３、及び第３制御幹線Ｌ１４を備える。
【００４５】
第１制御幹線Ｌ１２は、ベル用中継器３１を含む複数のベル用中継器に電力を供給するものであり、また、第２制御幹線Ｌ１３は、防排煙用中継器３２を含む複数の防排煙用中継器に電力を供給するものであり、また、第３制御幹線Ｌ１４は、ガス用中継器３３を含む複数のガス用中継器に電力を供給するものである。
【００４６】
第１制御支線Ｌ２２は、第１制御幹線Ｌ１２とベル用中継器３１とを、切離用中継装置１を介して電気的に接続する配線であり、また、第２制御支線Ｌ２３は、第２制御幹線Ｌ１３と防排煙用中継器３２とを、切離用中継装置１を介して電気的に接続する配線であり、また、第３制御支線Ｌ２４は、第３制御幹線Ｌ１４とガス用中継器３３とを、切離用中継装置１を介して電気的に接続する配線である。
【００４７】
（構成−第１機器群）
第１機器群９１は、例えば、切離用中継装置１、ベル装置２１、防火戸装置２２、ガス漏れ検知器２３、ベル用中継器３１、防排煙用中継器３２、及びガス用中継器３３を備える。
【００４８】
（構成−第１機器群−ベル装置、防火戸装置、ガス漏れ検知器）
ベル装置２１は、防災設備であり、前述したように火災発生時に非常ベルを鳴動する装置であり、例えば、ベル用回線Ｌ３１を介してベル用中継器３１に電気的に接続されているものである。なお、このベル装置２１は、公知の構成を適用することができるので、詳細の説明については省略する（防火戸装置２２、ガス漏れ検知器２３、ベル用中継器３１、防排煙用中継器３２、及びガス用中継器３３も同様とする）。
【００４９】
防火戸装置２２は、防災設備であり、前述したように火災発生時に閉じて火災が広がることを防止する装置であり、例えば、防排煙用回線Ｌ３２を介して防排煙用中継器３２に電気的に接続されているものである。
【００５０】
ガス漏れ検知器２３は、防災設備であり、前述したようにガス漏れを検知する公知の装置であり、例えば、ガス用回線Ｌ３３を介してガス用中継器３３に電気的に接続されているものである。
【００５１】
（構成−第１機器群−ベル用中継器、防排煙用中継器、及びガス用中継器）
ベル用中継器３１、防排煙用中継器３２、及びガス用中継器３３は、防災設備であって、中継器であり、伝送支線Ｌ２１を介して受信機９に電気的に接続されているものである。また、ベル用中継器３１は、第１制御支線Ｌ２２を介して受信機９に電気的に接続されているものであり、また、防排煙用中継器３２は、第２制御支線Ｌ２３を介して受信機９に電気的に接続されているものであり、また、ガス用中継器３３は、第３制御支線Ｌ２４を介して受信機９に電気的に接続されているものである。
【００５２】
（構成−第１機器群−切離用中継装置）
図２は、切離用中継装置を示す回路図であり、図３は、切離用中継装置を示すブロック図である。切離用中継装置１は、中継装置であり、例えば、図３の一次側端子群１１、二次側端子群１２、接点群１３、記録部１４、及び制御部１５を備える。なお、切離用中継装置１は、不図示の筐体（ケース）を備えて構成されており、この筐体に一次側端子群１１、二次側端子群１２が設けられており、また、この筐体に接点群１３、記録部１４、及び制御部１５を収容しているものとする。
【００５３】
（構成−第１機器群−切離用中継装置−一次側端子群）
図３の一次側端子群１１は、前述の複数の入力手段である。この一次側端子群１１の具体的な種類や構成は任意であるが、例えば、図２の伝送用一次側端子Ｔｉ１１、第１制御用一次側端子Ｔｉ１２、第２制御用一次側端子Ｔｉ１３、及び第３制御用一次側端子Ｔｉ１４を備えて構成される。
【００５４】
そして、伝送用一次側端子Ｔｉ１１は、伝送支線Ｌ２１の一部である一次側伝送支線Ｌ２１１が電気的に接続されており、当該一次側伝送支線Ｌ２１１を介して伝送幹線Ｌ１１に電気的に接続されている。また、第１制御用一次側端子Ｔｉ１２は、第１制御支線Ｌ２２の一部である一次側第１制御支線Ｌ２２１が電気的に接続されており、当該一次側第１制御支線Ｌ２２１を介して第１制御幹線Ｌ１２に電気的に接続されている。また、第２制御用一次側端子Ｔｉ１３は、第２制御支線Ｌ２３の一部である一次側第２制御支線Ｌ２３１が電気的に接続されており、当該一次側第２制御支線Ｌ２３１を介して第２制御幹線Ｌ１３に電気的に接続されている。また、第３制御用一次側端子Ｔｉ１４は、第３制御支線Ｌ２４の一部である一次側第３制御支線Ｌ２４１が電気的に接続されており、当該一次側第３制御支線Ｌ２４１を介して第３制御幹線Ｌ１４が電気的に接続されている。
【００５５】
（構成−第１機器群−切離用中継装置−二次側端子群）
図３の二次側端子群１２は、前述の複数の出力手段である。この二次側端子群１２の具体的な種類や構成は任意であるが、例えば、図２の伝送用二次側端子Ｔｏ１１、第１制御用二次側端子Ｔｏ１２、第２制御用二次側端子Ｔｏ１３、及び第３制御用二次側端子Ｔｏ１４を備えて構成される。
【００５６】
そして、伝送用二次側端子Ｔｏ１１は、伝送支線Ｌ２１の一部である二次側伝送支線Ｌ２１２が電気的に接続されており、当該二次側伝送支線Ｌ２１２を介して、ベル用中継器３１、防排煙用中継器３２、及びガス用中継器３３に電気的に接続されている。また、第１制御用二次側端子Ｔｏ１２は、第１制御支線Ｌ２２の一部である二次側第１制御支線Ｌ２２２が電気的に接続されており、当該二次側第１制御支線Ｌ２２２を介してベル用中継器３１に電気的に接続されている。また、第２制御用二次側端子Ｔｏ１３は、第２制御支線Ｌ２３の一部である二次側第２制御支線Ｌ２３２が電気的に接続されており、当該二次側第２制御支線Ｌ２３２を介して防排煙用中継器３２に電気的に接続されている。また、第３制御用二次側端子Ｔｏ１４は、第３制御支線Ｌ２４の一部である二次側第３制御支線Ｌ２４２が電気的に接続されており、当該二次側第３制御支線Ｌ２４２を介してガス用中継器３３に電気的に接続されている。
【００５７】
（構成−第１機器群−切離用中継装置−接点群）
図３の接点群１３は、前述の複数の開閉手段である。この接点群１３の具体的な種類や構成は任意であるが、例えば、図２の伝送用開閉スイッチＳｗ１、第１制御用開閉スイッチＳｗ２、第２制御用開閉スイッチＳｗ３、及び第３制御用開閉スイッチＳｗ４を備えて構成される。
【００５８】
（構成−第１機器群−切離用中継装置−接点群−伝送用開閉スイッチ）
伝送用開閉スイッチＳｗ１は、前述の電気信号開閉手段であり、例えば、伝送用一次側端子Ｔｉ１１と伝送用二次側端子Ｔｏ１１との間にて電気的に接続されており、閉じて電気的に接続することにより電気信号を通電可能にしたり、開いて電気的に遮断することにより電気信号を通電不可能にしたりするものである。
【００５９】
（構成−第１機器群−切離用中継装置−接点群−各制御用開閉スイッチ）
第１制御用開閉スイッチＳｗ２は、前述の電力開閉手段であり、例えば、第１制御用一次側端子Ｔｉ１２と第１制御用二次側端子Ｔｏ１２との間に電気的に接続されており、閉じて電気的に接続することにより電力を通電可能にしたり、開いて電気的に遮断することにより電力を通電不可能にしたりするものである。また、第２制御用開閉スイッチＳｗ３及び第３制御用開閉スイッチＳｗ４は、前述の電力開閉手段であり、例えば、第１制御用開閉スイッチＳｗ２と同様に構成されているものである。
【００６０】
（構成−第１機器群−切離用中継装置−記録部）
図３の記録部１４は、切離用中継装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる（他の実施形態も同様とする）。
【００６１】
（構成−第１機器群−切離用中継装置−制御部）
制御部１５は、切離用中継装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（他の装置の制御部も同様とする）。特に、実施の形態に係る制御プログラムは、任意の記録媒体又はネットワークを介して切離用中継装置１にインストールされることで、制御部１５の各部を実質的に構成する（他の実施形態も同様とする）。なお、この制御部１５の各部により行われる処理については、後述する。
【００６２】
（処理）
次に、このように構成される防災システム１００によって実行される切離処理について説明する。図４は、切離処理のフローチャートである（以下の各処理の説明ではステップを「Ｓ」と略記する）。図５は、短絡位置を示す防災システムの接続図である。「切離処理」とは、概略的には、切離用中継装置１によって実行される処理であり、具体的には、図２の切離用中継装置１の各開閉スイッチの下流側で異常が発生した場合に当該開閉スイッチを開いて電気的に遮断する処理である。この切離処理を実行するタイミングは任意であるが、例えば、図２の切離用中継装置１の各一次側端子及び各二次側端子に各支線を電気的に接続した後に、切離用中継装置１の電源をオンした場合に実行を開始し、繰り返し実行するものとし、実行が開始されたところから説明する。なお、切離用中継装置１の各一次側端子及び各二次側端子に各支線を電気的に接続する手法は任意であるが、例えば、ユーザが、切離用中継装置１の配線接続図に基づいて配線することにより接続することとする。
【００６３】
なお、「異常」とは、通常とは異なる状態であり、具体的には、利用し続けることにより同一系統内の他の機器の動作に対して悪影響を与える可能性がある状態であり、例えば、短絡等を含む概念である。ここでは、例えば、図５に示す切離用中継装置１の下流側の第２制御支線Ｌ２３にて短絡が発生する場合を例示して説明する。また、切離用中継装置１の電源をオンした場合に、切離用中継装置１の各開閉スイッチは閉じて電気的に接続した状態になることとして、以下説明する。また、図１の受信機９が、伝送幹線Ｌ１１を介して第１機器群９１側に定期的に電気信号を繰り返し出力し、また、第１制御幹線Ｌ１２、第２制御幹線Ｌ１３、及び第３制御幹線Ｌ１４を介して第１機器群９１側に電力を連続的に供給していることとして説明する。
【００６４】
図４のＳＡ１において制御部１５は、切離用中継装置１の各開閉スイッチの下流側で異常が発生したか否かを判定する。具体的には任意であるが、例えば、異常である短絡が発生した場合に電圧が低下することに着目して判定したり、あるいは、過電流が流れることに着目して判定したりすることができるが、ここでは、例えば、電圧が低下することに着目して判定する場合について説明する。詳細には、切離用中継装置１に各開閉スイッチの上流側（受信機９側）及び下流側（各防災設備側）における各支線の電圧を測定する不図示の電圧計が設けられており、また、伝送支線Ｌ２１について短絡が発生したか否かを判定するために電気信号の電圧値と比較される閾値である伝送支線用電圧閾値が記録部１４に記録されており、また、第１制御支線Ｌ２２、第２制御支線Ｌ２３、及び第３制御支線Ｌ２４について短絡が発生したか否かを判定するために電力の電圧値と比較される閾値である制御支線用電圧閾値が記録部１４に記録されていることとし、以下のように処理を行う。
【００６５】
まず、制御部１５は、不図示の電圧計にアクセスして、切離用中継装置１の各開閉スイッチの下流側の電圧（以下、下流側電圧）を各支線毎に取得し、また、記録部１４の伝送支線用電圧閾値及び制御支線用電圧閾値を取得した上で、取得した下流側電圧と、当該電圧の閾値である伝送支線用電圧閾値又は制御支線用電圧閾値とを比較し、比較結果に基づいて後述するようにして各支線毎に短絡の判定を行う。そして、何れの各支線でも切離用中継装置１の各開閉スイッチの下流側で短絡が発生していないものと判定した場合、異常が発生していないものと判定し（ＳＡ１のＮＯ）、異常が発生したものと判定するまで、繰り返しＳＡ１を実行する。また、各支線の何れかにおいて切離用中継装置１の各開閉スイッチの下流側で短絡が発生しているものと判定した場合、異常が発生したものと判定し（ＳＡ１のＹＥＳ）、ＳＡ２に移行する。
【００６６】
支線毎に短絡の判定について具体的には、まず、伝送支線Ｌ２１については、不図示の電圧計にアクセスして、図２の二次側伝送支線Ｌ２１２の電気信号の電圧を下流側電圧として取得し、また、伝送支線用電圧閾値を取得した上で、取得した下流側電圧が伝送支線用電圧閾値以上である場合、伝送支線Ｌ２１では短絡が発生していないものと判定する。一方、取得した下流側電圧が伝送支線用電圧閾値未満である場合、短絡した位置に接続されている部分の電圧は全体的に低下するので、伝送用開閉スイッチＳｗ１の下流側での短絡により下流側電圧が低下したのか、伝送用開閉スイッチＳｗ１の上流側での短絡により下流側電圧が低下したのかを切り分ける必要があるが、例えば、以下のようにして切り分ける。切り分けについて具体的には、短絡した位置を上流側から切り離した場合に、切り離された位置以外の電圧が上昇することに着目して、伝送用開閉スイッチＳｗ１を開いて電気的に遮断した上で、不図示の電圧計に再度アクセスして、図２の一次側伝送支線Ｌ２１１の電気信号の電圧を上流側電圧として取得し、また、伝送支線用電圧閾値を取得した上で、取得した上流側電圧が伝送支線用電圧閾値以上である場合、前述の遮断により短絡された位置が切り離されたので、伝送支線Ｌ２１における伝送用開閉スイッチＳｗ１の下流側で短絡が発生しているものと判定し、伝送用開閉スイッチＳｗ１を閉じて電気的に接続する。一方、取得した上流側電圧が伝送支線用電圧閾値未満である場合、前述の遮断により短絡された位置が切り離されたわけではないので、伝送支線Ｌ２１における伝送用開閉スイッチＳｗ１の下流側で短絡が発生していないものと判定し、伝送用開閉スイッチＳｗ１を閉じて電気的に接続する。
【００６７】
また、第１制御支線Ｌ２２については、伝送支線Ｌ２１の場合と同様であるが、不図示の電圧計にアクセスして、図２の二次側第１制御支線Ｌ２２２の電力の電圧を下流側電圧として取得し、また、制御支線用電圧閾値を取得した上で、取得した下流側電圧が制御支線用電圧閾値以上である場合、第１制御支線Ｌ２２では短絡が発生していないものと判定する。一方、取得した下流側電圧が制御支線用電圧閾値未満である場合、第１制御用開閉スイッチＳｗ２の下流側での短絡により下流側電圧が低下したのか、第１制御用開閉スイッチＳｗ２の上流側での短絡により下流側電圧が低下したのかを切り分ける必要があるが、例えば、伝送支線Ｌ２１の場合と同様にして切り分ける。切り分けについて具体的には、第１制御用開閉スイッチＳｗ２を開いて電気的に遮断した上で、不図示の電圧計に再度アクセスして、図２の一次側第１制御支線Ｌ２２１の電力の電圧を上流側電圧として取得し、また、制御支線用電圧閾値を取得した上で、取得した上流側電圧が制御支線用電圧閾値以上である場合、前述の遮断により短絡された位置が切り離されたので、第１制御支線Ｌ２２における伝送用開閉スイッチＳｗ１の下流側で短絡が発生しているものと判定し、第１制御用開閉スイッチＳｗ２を閉じて電気的に接続する。一方、取得した上流側電圧が制御支線用電圧閾値未満である場合、前述の遮断により短絡された位置が切り離されたわけではないので、第１制御支線Ｌ２２における第１制御用開閉スイッチＳｗ２の下流側で短絡が発生していないものと判定し、第１制御用開閉スイッチＳｗ２を閉じて電気的に接続する。なお、第２制御支線Ｌ２３及び第３制御支線Ｌ２４の短絡の判定も、第１制御支線Ｌ２２の場合と同様にして行うことができるので、詳細の説明を省略する。そして、前述したように、このようにして、支線毎に短絡の判定を行うことにより、切離用中継装置１の各開閉スイッチの下流側で異常が発生したか否かを判定する。
【００６８】
ここでは、例えば、図５に示すように、第２制御用開閉スイッチＳｗ３の下流側の第２制御支線Ｌ２３にて短絡が発生した場合、二次側第２制御支線Ｌ２３２の電力の電圧が制御支線用電圧閾値未満となり、切り分けのために、第２制御用開閉スイッチＳｗ３を開いて電気的に遮断する。この場合、第２制御支線Ｌ２３における短絡している部分が切り離されることになるので、一次側第２制御支線Ｌ２３１の電力の電圧が上昇して制御支線用電圧閾値以上となるので、第２制御用開閉スイッチＳｗ３の下流側の第２制御支線Ｌ２３で短絡が発生したものと判定し、異常が発生したものと判定する（ＳＡ１のＹＥＳ）。
【００６９】
図４のＳＡ２において制御部１５は、切り離しを行う。具体的には任意であるが、例えば、ＳＡ１で短絡が発生しているものと判定した各支線を特定し、各支線に電気的に接続されている切離用中継装置１の各開閉スイッチを開いて電気的に遮断する。ここでは、例えば、第２制御支線Ｌ２３を特定し、第２制御支線Ｌ２３に電気的に接続されている第２制御用開閉スイッチＳｗ３を開いて電気的に遮断する。このような処理を行うことにより、短絡された位置が切離されるので、第２制御用開閉スイッチＳｗ３よりも上流側の第２制御幹線Ｌ１３の電力を正常な状態に維持することができるので、第２制御支線Ｌ２３での短絡の悪影響が同一系統内の他の機器（例えば、第２機器群９２側の機器等）に広がることを防止できる。
【００７０】
図４のＳＡ３において制御部１５は、異常を報知する。具体的には任意であるが、例えば、自己よりも下流側で短絡が発生したことを通知する報知信号を、一次側伝送支線Ｌ２１１（つまり、伝送支線Ｌ２１）及び伝送幹線Ｌ１１を介して受信機９に送信することにより報知する。この場合、受信機９は、切離用中継装置１の下流側で短絡が発生したこと示す情報を表示等する。また、例えば、切離用中継装置１の不図示の筐体に二次側端子群１２の各端子に対応する不図示の警報灯（例えば、ＬＥＤ等）が設けられていることとし、制御部１５が、切離用中継装置１の各開閉スイッチのうちのＳＡ２にて開いた開閉スイッチ（例えば、第２制御用開閉スイッチＳｗ３）に電気的に接続されている端子に対応する警報灯を点灯させることにより、報知を行う。このように構成した場合、ユーザが、受信機９の表示にて異常の発生を把握した上で、切離用中継装置１側に移動して切離用中継装置１の警報灯により短絡している各支線を特定することができるので、復旧のための作業を効率的に行うことが可能となる。これにて、切離処理を終了する。
【００７１】
（実施の形態の効果）
このように本実施の形態によれば、電力又は電気信号が入力される一次側端子群１１と、二次側端子群１２と、接点群１３とを備えることにより、例えば、１つの切離用中継装置１にて受信機９と複数の防災設備との間を開閉することができるので、切離用中継装置１の個数を低減することができ、防災システム１００について設置スペースを低減し且つコストを低減することが可能となる。また、例えば、切離用中継装置１の個数を低減することにより、環境負荷を低減することが可能となる。また、例えば、１つの切離用中継装置１にて電力及び電気信号を遮断する機能を有するので、従来のように短絡切離用中継器を２種類製造する場合に比べて、部品点数を減少させることができ、切離用中継装置１の低コスト化を図ることが可能となる。
【００７２】
（実施の形態２）
次に、実施の形態２について説明する。なお、この実施の形態２においては、中継装置が、実施の形態１の各手段に加えて中継手段を備える場合について説明する。なお、実施の形態２の構成は、特記する場合を除いて実施の形態１の構成と略同一であり、実施の形態１の構成と略同一の構成についてはこの実施の形態１で用いたのと同一の符号を必要に応じて付して、その説明を省略する。
【００７３】
（構成）
まず、本実施の形態に係る防災システムの構成について説明する。図６は、本実施の形態に係る防災システムの接続図であり、図７は、切離用中継装置を示す回路図である。なお、本実施の形態の防災システム１００ａは、図１の防災システム１００において、ベル用中継器３１、防排煙用中継器３２、及びガス用中継器３３を省略した上で、これら各中継器の機能を切離用中継装置１に設けて図６の切離用中継装置１ａとしたものである。
【００７４】
防災システム１００ａは、監視領域の防災を行うシステムであり、例えば、受信機９、切離用中継装置１ａ、ベル装置２１、防火戸装置２２、及びガス漏れ検知器２３を備える。
【００７５】
（構成−切離用中継装置）
切離用中継装置１ａは、中継装置であり、例えば、図３の一次側端子群１１、二次側端子群１２ａ、接点群１３ａ、図７のベル用中継回路３１１、防排煙用中継回路３２１、ガス用中継回路３３１、図３の記録部１４ａ、及び制御部１５ａを備える。
【００７６】
（構成−切離用中継装置−二次側端子群）
図３の二次側端子群１２ａは、前述の複数の出力手段である。この二次側端子群１２ａの具体的な種類や構成は任意であるが、例えば、図７の第１制御用二次側端子Ｔｏ２１、第２制御用二次側端子Ｔｏ２２、及び第３制御用二次側端子Ｔｏ２３を備えて構成される。
【００７７】
第１制御用二次側端子Ｔｏ２１は、ベル用回線Ｌ３１が電気的に接続されており、当該ベル用回線Ｌ３１を介してベル装置２１に電気的に接続されている。第２制御用二次側端子Ｔｏ２２は、防排煙用回線Ｌ３２が電気的に接続されており、当該防排煙用回線Ｌ３２を介して防火戸装置２２に電気的に接続されている。第３制御用二次側端子Ｔｏ２３は、ガス用回線Ｌ３３が電気的に接続されており、当該ガス用回線Ｌ３３を介してガス漏れ検知器２３に電気的に接続されている。
【００７８】
（構成−切離用中継装置−接点群）
図３の接点群１３ａは、前述の複数の開閉手段である。この接点群１３ａの具体的な種類や構成は任意であるが、例えば、図７の伝送用開閉スイッチＳｗ１ａ、第１制御用開閉スイッチＳｗ２ａ、第２制御用開閉スイッチＳｗ３ａ、及び第３制御用開閉スイッチＳｗ４ａを備えて構成される。
【００７９】
（構成−切離用中継装置−接点群−伝送用開閉スイッチ）
伝送用開閉スイッチＳｗ１ａは、前述の電気信号開閉手段であり、例えば、伝送用一次側端子Ｔｉ１１とベル用中継回路３１１との間にて電気的に接続されており、閉じて電気的に接続することにより電気信号を通電可能にしたり、開いて電気的に遮断することにより電気信号を通電不可能にしたりするものである。
【００８０】
（構成−切離用中継装置−接点群−各制御用開閉スイッチ）
第１制御用開閉スイッチＳｗ２ａは、前述の電力開閉手段であり、例えば、第１制御用一次側端子Ｔｉ１２とベル用中継回路３１１との間に電気的に接続されており、閉じて電気的に接続することにより電力を通電可能にしたり、開いて電気的に遮断することにより電力を通電不可能にしたりするものである。また、第２制御用開閉スイッチＳｗ３ａは、前述の電力開閉手段であり、例えば、第２制御用一次側端子Ｔｉ１３と防排煙用中継回路３２１との間に電気的に接続されており、第１制御用開閉スイッチＳｗ２ａと同様に構成されているものである。また、第３制御用開閉スイッチＳｗ４ａは、前述の電力開閉手段であり、例えば、第３制御用一次側端子Ｔｉ１４とガス用中継回路３３１との間に電気的に接続されており、第１制御用開閉スイッチＳｗ２ａと同様に構成されているものである。
【００８１】
（構成−切離用中継装置−ベル用中継回路）
ベル用中継回路３１１は、前述の中継手段である。このベル用中継回路３１１の具体的な種類や構成は任意であるが、例えば、図１のベル用中継器３１と同様な機能を発揮する電気回路として構成することができる。
【００８２】
（構成−切離用中継装置−防排煙用中継回路）
防排煙用中継回路３２１は、前述の中継手段である。この防排煙用中継回路３２１の具体的な種類や構成は任意であるが、例えば、図１の防排煙用中継器３２と同様な機能を発揮する電気回路として構成することができる。
【００８３】
（構成−切離用中継装置−ガス用中継回路）
ガス用中継回路３３１は、前述の中継手段である。このガス用中継回路３３１の具体的な種類や構成は任意であるが、例えば、図１のガス用中継器３３と同様な機能を発揮する電気回路として構成することができる。
【００８４】
（構成−切離用中継装置−記録部、制御部）
図３の記録部１４ａは、切離用中継装置１ａの動作に必要なプログラム及び各種のデータを記録する記録手段であり、また、制御部１５ａは、切離用中継装置１ａを制御する制御手段である。なお、この制御部１５ａの各部により行われる処理については、後述する。
【００８５】
（処理）
次に、このように構成される防災システム１００ａによって実行される切離処理について説明する。なお、ここでの切離処理は、切離用中継装置１ａの各開閉スイッチの下流側で異常が発生した場合に、各開閉スイッチを開いて電気的に遮断する処理であり、実施形態の形態１で説明した切離処理と同様にして、切離用中継装置１ａの内部（例えば、開閉スイッチの下流側かつ各中継回路の上流側の配線）の短絡を異常として判定して各開閉スイッチを開くことにより電気的に遮断したり、あるいは、任意の手法にて切離用中継装置１ａの下流側の回線の短絡を異常として各開閉スイッチを開くことにより電気的に遮断したりする処理である。ここでは、前者の処理は実施形態の形態１と同様であるので、後者の処理について、図４の「ＳＢ」として説明する。
【００８６】
図４のＳＢ１において制御部１５ａは、切離用中継装置１ａの下流側の回線で異常が発生したか否かを判定する。具体的には任意であるが、例えば、実施の形態１の場合と同様にして、電圧が低下することに着目して判定する場合について説明する。詳細には、切離用中継装置１ａに各中継回路の下流側（各防災設備側）における各回線の電圧を測定する不図示の電圧計が設けられており、また、当該回線に対して短絡を判定するために電圧（各防災設備が動作しない程度の値の電圧）を印加する不図示の電圧印加回路が設けられており、また、各回線にて短絡が発生したか否かを判定するために電圧値と比較される閾値である回線用電圧閾値が記録部１４ａに記録されていることとし、以下のように処理を行う。
【００８７】
より詳細には、制御部１５ａは、不図示の電圧印加回路を介して各回線に電圧を印加した上で、不図示の電圧計にアクセスして、各回線の電圧を回線毎に取得し、また、記録部１４の回線用電圧閾値を取得した上で、取得した電圧と、回線用電圧閾値とを比較し、比較結果に基づいて後述するようにして回線毎に短絡の判定を行う。そして、何れの回線線でも短絡が発生していないものと判定した場合、異常が発生していないものと判定し（ＳＢ１のＮＯ）、異常が発生したものと判定するまで、繰り返しＳＢ１を実行する。また、各回線の何れかにおいて切離用中継装置１ａで短絡が発生しているものと判定した場合、異常が発生したものと判定し（ＳＢ１のＹＥＳ）、ＳＢ２に移行する。
【００８８】
回線毎に短絡の判定について具体的には、まず、ベル用回線Ｌ３１については、不図示の電圧印加回路を介してベル用回線Ｌ３１に電圧を印加した上で、不図示の電圧計にアクセスして、ベル用回線Ｌ３１の電圧を取得し、また、回線用電圧閾値を取得した上で、取得した電圧が回線用電圧閾値以上である場合、ベル用回線Ｌ３１では短絡が発生していないものと判定し、一方、取得した電圧が回線用電圧閾値未満である場合、ベル用回線Ｌ３１では短絡が発生したものと判定する。なお、防排煙用回線Ｌ３２及びガス用回線Ｌ３３の短絡の判定も、ベル用回線Ｌ３１の場合と同様にして行うことができるので、詳細の説明を省略する。そして、前述したように、このように回線毎に短絡の判定を行うことにより、切離用中継装置１ａの下流側の回線で異常が発生したか否かを判定する。
【００８９】
ここでは、例えば、図６の防排煙用回線Ｌ３２で短絡が発生した場合において、不図示の電圧印加回路を介して当該防排煙用回線Ｌ３２に電圧を印加した場合、この防排煙用回線Ｌ３２の電圧が回線用電圧閾値未満となるので、防排煙用回線Ｌ３２で短絡が発生したものと判定し、異常が発生したものと判定する（ＳＢ１のＹＥＳ）。
【００９０】
図４のＳＢ２において制御部１５ａは、切り離しを行う。具体的には任意であるが、例えば、ＳＢ１で短絡が発生しているものと判定した各回線を特定し、各回線に関連する切離用中継装置１ａの各開閉スイッチを開いて電気的に遮断する。ここでは、例えば、防排煙用回線Ｌ３２を特定し、防排煙用回線Ｌ３２に関連する開閉スイッチとして第２制御用開閉スイッチＳｗ３ａを開いて電気的に遮断する。
【００９１】
図４のＳＢ３において制御部１５ａは、異常を報知する。具体的には任意であるが、例えば、ＳＡ３と同様な処理を行う。これにて、切離処理を終了する。
【００９２】
（実施の形態の効果）
このように本実施の形態によれば、ベル用中継回路３１１、防排煙用中継回路３２１、及びガス用中継回路３３１を備えることにより、例えば、１つの切離用中継装置１ａにて従来の中継器（例えば、実施の形態１のベル用中継器３１、及び防排煙用中継器３２等）の機能も実現することができるので、切離用中継装置１ａとは別に設けられる従来の中継器の個数を低減することができ、防災システム１００ａについて設置スペース及びコストを一層低減することが可能となる。
【００９３】
（実施の形態３）
次に、実施の形態３について説明する。なお、この実施の形態３においては、中継装置が、実施の形態１の各手段に加えて切替手段を備える場合について説明する。なお、実施の形態３の構成は、特記する場合を除いて実施の形態１の構成と略同一であり、実施の形態１の構成と略同一の構成についてはこの実施の形態１で用いたのと同一の符号を必要に応じて付して、その説明を省略する。
【００９４】
（構成）
まず、本実施の形態に係る防災システムの構成について説明する。図８は、切離用中継装置を示す回路図である。なお、本実施の形態の図１の防災システム１００ｂは、実施の形態１の防災システム１００において、切離用中継装置１を切離用中継装置１ｂに変更したものである。
【００９５】
防災システム１００ｂは、監視領域の防災を行うシステムであり、例えば、受信機９、切離用中継装置１ｂ、ベル装置２１、防火戸装置２２、ガス漏れ検知器２３、ベル用中継器３１、防排煙用中継器３２、及びガス用中継器３３を備える。
【００９６】
（構成−切離用中継装置）
切離用中継装置１ｂは、中継装置であり、例えば、図３の一次側端子群１１ｂ、二次側端子群１２ｂ、接点群１３ｂ、記録部１４ｂ、及び制御部１５ｂを備える。
【００９７】
（構成−切離用中継装置−一次側端子群）
図３の一次側端子群１１ｂは、前述の複数の入力手段である。この一次側端子群１１ｂの具体的な種類や構成は任意であるが、例えば、図８の兼用一次側端子Ｔｉ３１〜Ｔｉ３４を備えて構成される。そして、この兼用一次側端子Ｔｉ３１〜Ｔｉ３４は、電気信号及び電力に兼用となっており、伝送支線Ｌ２１及び各制御支線のうちの任意の１つが接続されるように構成されているが、ここでは、例えば、以下のように接続されている。
【００９８】
具体的には、兼用一次側端子Ｔｉ３１は、伝送支線Ｌ２１の一部である一次側伝送支線Ｌ２１１が電気的に接続されており、また、兼用一次側端子Ｔｉ３２は、第１制御支線Ｌ２２の一部である一次側第１制御支線Ｌ２２１が電気的に接続されており、また、兼用一次側端子Ｔｉ３３は、第２制御支線Ｌ２３の一部である一次側第２制御支線Ｌ２３１が電気的に接続されており、また、兼用一次側端子Ｔｉ３４は、第３制御支線Ｌ２４の一部である一次側第３制御支線Ｌ２４１が電気的に接続されている。
【００９９】
（構成−切離用中継装置−二次側端子群）
図３の二次側端子群１２ｂは、前述の複数の出力手段である。この二次側端子群１２ｂの具体的な種類や構成は任意であるが、例えば、図８の兼用二次側端子Ｔｏ３１〜Ｔｏ３４を備えて構成される。そして、この兼用二次側端子Ｔｏ３１〜Ｔｏ３４は、電気信号及び電力に兼用となっており、伝送支線Ｌ２１及び各制御支線のうちの任意の１つが接続されるように構成されているが、ここでは、例えば、前述の兼用一次側端子Ｔｉ３１〜Ｔｉ３４に接続されている各支線に対応する支線を接続する必要があるので、ユーザは、兼用一次側端子Ｔｉ３１〜Ｔｉ３４と兼用二次側端子Ｔｏ３１〜Ｔｏ３４との電気的な接続を示す配線図等を参照して配線することとし、ここでは、例えば、以下のように接続されている。
【０１００】
そして、兼用二次側端子Ｔｏ３１は、伝送支線Ｌ２１の一部である二次側伝送支線Ｌ２１２が電気的に接続されており、兼用二次側端子Ｔｏ３２は、第１制御支線Ｌ２２の一部である二次側第１制御支線Ｌ２２２が電気的に接続されており、兼用二次側端子Ｔｏ３３は、第２制御支線Ｌ２３の一部である二次側第２制御支線Ｌ２３２が電気的に接続されており、兼用二次側端子Ｔｏ３４は、第３制御支線Ｌ２４の一部である二次側第３制御支線Ｌ２４２が電気的に接続されている。
【０１０１】
（構成−切離用中継装置−接点群）
図３の接点群１３ｂは、前述の複数の開閉手段である。この接点群１３ｂの具体的な種類や構成は任意であるが、例えば、図８の一次側切替スイッチＳｗ１１〜Ｓｗ１４、伝送用開閉スイッチＳｗ２１〜Ｓｗ２４、制御用開閉スイッチＳｗ３１〜Ｓｗ３４、及び二次側切替スイッチＳｗ４１〜Ｓｗ４４を備えて構成される。
【０１０２】
（構成−切離用中継装置−接点群−切替スイッチ）
一次側切替スイッチＳｗ１１〜Ｓｗ１４及び二次側切替スイッチＳｗ４１〜Ｓｗ４４は、切替手段である。一次側切替スイッチＳｗ１１及び二次側切替スイッチＳｗ４１は、兼用一次側端子Ｔｉ３１と兼用二次側端子Ｔｏ３１とを、伝送用開閉スイッチＳｗ２１を介して相互に電気的に接続するか、制御用開閉スイッチＳｗ３１を介して相互に電気的に接続するかを切り替える。また、一次側切替スイッチＳｗ１２〜Ｓｗ１４及び二次側切替スイッチＳｗ４２〜Ｓｗ４４は、一次側切替スイッチＳｗ１１及び二次側切替スイッチＳｗ４１と同様に構成されているものである。
【０１０３】
（構成−切離用中継装置−接点群−伝送用開閉スイッチ）
伝送用開閉スイッチＳｗ２１は、前述の電気信号開閉手段であり、例えば、閉じて電気的に接続することにより電気信号を通電可能にしたり、開いて電気的に遮断することにより電気信号を通電不可能にしたりするものである。また、伝送用開閉スイッチＳｗ２２〜Ｓｗ２４は、伝送用開閉スイッチＳｗ２１と同様に構成されているものである。
【０１０４】
（構成−切離用中継装置−接点群−各制御用開閉スイッチ）
制御用開閉スイッチＳｗ３１は、前述の電力開閉手段であり、例えば、閉じて電気的に接続することにより電力を通電可能にしたり、開いて電気的に遮断することにより電力を通電不可能にしたりするものである。また、制御用開閉スイッチＳｗ３２〜Ｓｗ３４は、制御用開閉スイッチＳｗ３１と同様に構成されているものである。
【０１０５】
（構成−切離用中継装置−記録部、制御部）
図３の記録部１４ｂは、切離用中継装置１ｂの動作に必要なプログラム及び各種のデータを記録する記録手段であり、また、制御部１５ｂは、切離用中継装置１ｂを制御する制御手段である。なお、この制御部１５ｂの各部により行われる処理については、後述する。
【０１０６】
（処理）
次に、このように構成される防災システム１００ｂによって実行される処理について説明する。具体的には、切替処理、及び切離処理について説明する。
【０１０７】
（処理−切替処理）
図９は、切替処理のフローチャートである。「切替処理」とは、概略的には、切離用中継装置１ｂによって実行される処理であり、具体的には、兼用一次側端子Ｔｉ３１〜Ｔｉ３４に接続されている各支線の種類に応じて、一次側切替スイッチＳｗ１１〜Ｓｗ１４及び二次側切替スイッチＳｗ４１〜Ｓｗ４４にて切替を行う処理である。なお、各支線の種類とは、電気信号を通電する支線（伝送支線Ｌ２１）の種類、又は、電気信号を通電する支線（第１制御支線Ｌ２２、第２制御支線Ｌ２３、及び第３制御支線Ｌ２４）の種類を示す。この切替処理を実行するタイミングは任意であるが、例えば、切離用中継装置１ｂの電源をオンし、後述する切離処理を行う前に少なくとも１回は実行を開始し、繰り返し実行するものとし、実行が開始されたところから説明する。なお、例えば、ユーザが、図８に示すように、兼用一次側端子Ｔｉ３１〜Ｔｉ３４及び兼用二次側端子Ｔｏ３１〜Ｔｏ３４に、各支線を接続した場合について説明する。また、切離用中継装置１ｂの電源をオンした直後は、一次側切替スイッチＳｗ１１〜Ｓｗ１４及び二次側切替スイッチＳｗ４１〜Ｓｗ４４については、兼用一次側端子Ｔｉ３１〜Ｔｉ３４及び兼用二次側端子Ｔｏ３１〜Ｔｏ３４が、伝送用開閉スイッチＳｗ２１〜Ｓｗ２４を介して電気的に接続されるように切り替えられていることとして説明する。また、図１の受信機９が、伝送幹線Ｌ１１を介して第１機器群９１側に定期的に電気信号を繰り返し出力し、また、第１制御幹線Ｌ１２、第２制御幹線Ｌ１３、及び第３制御幹線Ｌ１４を介して第１機器群９１側に電力を連続的に供給していることとして説明する。
【０１０８】
図９のＳＣ１において制御部１５ｂは、兼用一次側端子Ｔｉ３１〜Ｔｉ３４に接続されている各支線の種類を判定する。具体的には任意であるが、例えば、兼用一次側端子Ｔｉ３１〜Ｔｉ３４への入力（電気信号又は電力）を検出する検出回路が設けられていることとし、各支線の種類毎に通電している対象が相互に異なる点に着目して、当該検出回路の検出結果に基づいて判定する。そして、検出回路が兼用一次側端子Ｔｉ３１〜Ｔｉ３４にて電気信号を検出した場合、兼用一次側端子Ｔｉ３１〜Ｔｉ３４に電気信号が印加されているので、電気信号を通電する種類の支線であるものと判定し、一方、検出回路が兼用一次側端子Ｔｉ３１〜Ｔｉ３４にて電力を検出した場合、兼用一次側端子Ｔｉ３１〜Ｔｉ３４に電力が印加されているので、電力を通電する種類の支線であるものと判定する。ここでは、例えば、兼用一次側端子Ｔｉ３１に接続されている支線については、電気信号を通電する種類の支線であるものと判定し、また、兼用一次側端子Ｔｉ３２〜Ｔｉ３４に接続されている各支線については、電力を通電する種類の支線であるものと判定する。
【０１０９】
図９のＳＣ２において制御部１５ｂは、切り替えを行う必要があるか否かを判定する。具体的には任意であるが、例えば、制御部１５ｂが、一次側切替スイッチＳｗ１１〜Ｓｗ１４及び二次側切替スイッチＳｗ４１〜Ｓｗ４４の切替状態を任意の手法で把握し、また、ＳＣ１の判定結果を取得した上で、把握した切替状態がＳＣ１の判定結果に対応しているか否かに基づいて判定する。
【０１１０】
詳細には、ＳＣ１にて電気信号を通電する種類の支線であるものと判定した場合、当該判定した支線が接続されている兼用一次側端子と、当該兼用一次側端子に対応する二次側端子とが、伝送用開閉スイッチＳｗ２１〜Ｓｗ２４を介して電気的に接続されるように切り替えられている場合、切り替えを行う必要がないものと判定し、一方、制御用開閉スイッチＳｗ３１〜Ｓｗ３４を介して電気的に接続されるように切り替えられている場合、切り替えを行う必要があるものと判定する。また、ＳＣ１にて電力を通電する種類の支線であるものと判定した場合、当該判定した支線が接続されている兼用一次側端子と、当該兼用一次側端子に対応する二次側端子とが、制御用開閉スイッチＳｗ３１〜Ｓｗ３４を介して電気的に接続されるように切り替えられている場合、切り替えを行う必要がないものと判定し、一方、伝送用開閉スイッチＳｗ２１〜Ｓｗ２４を介して電気的に接続されるように切り替えられている場合、切り替えを行う必要があるものと判定する。そして、上述の判定を一次側切替スイッチＳｗ１１〜Ｓｗ１４及び二次側切替スイッチＳｗ４１〜Ｓｗ４４の組み合わせ各々について行った上で、何れにおいても切り替えを行う必要がないと判定した場合、切り替えを行う必要がないものと判定し（ＳＣ２のＮＯ）、ＳＣ１に移行する。また、何れかにおいて切り替えを行う必要があると判定した場合、切り替えを行う必要があるものと判定し（ＳＣ２のＹＥＳ）、ＳＣ３に移行する。
【０１１１】
ここでは、例えば、ＳＣ１にて兼用一次側端子Ｔｉ３１に接続されている支線については、電気信号を通電する種類の支線であるものと判定し、且つ、兼用一次側端子Ｔｉ３２〜Ｔｉ３４に接続されている各支線については、電力を通電する種類の支線であるものと判定し、また、一次側切替スイッチＳｗ１１〜Ｓｗ１４及び二次側切替スイッチＳｗ４１〜Ｓｗ４４については、兼用一次側端子Ｔｉ３１〜Ｔｉ３４及び兼用二次側端子Ｔｏ３１〜Ｔｏ３４が、伝送用開閉スイッチＳｗ２１〜Ｓｗ２４を介して電気的に接続されるように切り替えられているので、切り替えを行う必要があるものと判定する（ＳＣ２のＹＥＳ）。
【０１１２】
図９のＳＣ３において制御部１５ｂは、一次側切替スイッチＳｗ１１〜Ｓｗ１４及び二次側切替スイッチＳｗ４１〜Ｓｗ４４の切り替えを行う。具体的には任意であるが、例えば、ＳＣ２で切り替えを行う必要があるものと判定した各切替スイッチについて、切り替えを行う。ここでは、例えば、一次側切替スイッチＳｗ１２〜Ｓｗ１４及び二次側切替スイッチＳｗ４２〜Ｓｗ４４について、切り替えを行って、図８に示す切替状態にする。これにて、切替処理を終了する。
【０１１３】
（処理−切離処理）
切離処理は、切離用中継装置１ｂの兼用一次側端子Ｔｉ３１〜Ｔｉ３４及び兼用二次側端子Ｔｏ３１〜Ｔｏ３４に電気的に接続されている各開閉スイッチの下流側で異常が発生した場合に、各開閉スイッチを開いて電気的に遮断する処理である。この切離処理は、実施形態の形態１で説明した切離処理と同様にして、行うことができるので、詳細の説明は省略する。
【０１１４】
（実施の形態の効果）
このように本実施の形態によれば、一次側切替スイッチＳｗ１１〜Ｓｗ１４及び二次側切替スイッチＳｗ４１〜Ｓｗ４４を備えることにより、例えば、切離用中継装置１ｂの兼用一次側端子Ｔｉ３１〜Ｔｉ３４に対して電気信号又は電力の何れを入力しても正常に動作させることができるので、あらゆる現場に対応できる使い勝手のよい切離用中継装置１ｂを提供することが可能となる。
【０１１５】
また、兼用一次側端子Ｔｉ３１〜Ｔｉ３４への入力に基づいて切り替えることにより、例えば、自動的に切り替えることができるので、ユーザによる切替の手間を省いたり、ヒューマンエラーの発生を防止することができ、使い勝手及び防災性を向上させることが可能となる。
【０１１６】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【０１１７】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【０１１８】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。また、本出願における「装置」とは、単一の装置によって構成されたものに限定されず、複数の装置によって構成されたものを含む。
【０１１９】
（切離用中継装置に接続される支線について）
また、実施の形態１においては、２種類の支線が切離用中継装置１に接続される場合について説明したが、これに限らない。例えば、同種類の支線のみが接続するように構成してもよい。つまり、制御支線のみが４つ接続されるように構成してもよいし、また、伝送支線のみが４つ接続されるように構成してもよい。
【０１２０】
（処理主体について）
また、各実施の形態の切離用中継装置の制御部の機能を受信機９に設けて、この受信機９が、切離用中継装置との間で通信を行って、各処理を実行してもよい。
【０１２１】
（異常の判定について）
また、実施の形態１の異常の判定については、受信機９が電気信号を繰り返し出力し、また、電力を連続的に供給していることを前提に説明したが、これに限らず、例えば、切離用中継装置１が自己の下流側の支線に対して、短絡しているか否かを確認するための電圧印加回路を備えていることとし、各開閉スイッチを開いた上で、この電圧印加回路から下流側の支線に任意の値の電圧を印加して、実施の形態１で説明したように、下流側の支線の電圧と各閾値とを比較して、比較結果に基づいて判定してもよい。また、この場合、各開閉スイッチを閉じた状態で、電圧印加回路から下流側の支線に任意の値の電圧を印加して、当該支線の電圧が低下しており、短絡の可能性がある場合にのみ、各開閉スイッチを開いた上で、電圧印加回路から下流側の支線に再度電圧を印加して、下流側の支線の電圧と各閾値とを比較して、比較結果に基づいて短絡の確定を判定してもよい。このように処理する場合、開閉スイッチを開く頻度を減少させることが可能となる。
【０１２２】
（復旧について）
また、図４のＳＡ２の後に、切離用中継装置１の制御部１５が、復旧を判定してもよい。具体的には任意であるが、例えば、変形例の「（異常の判定について）」の場合と同様にして、電圧印加回路から下流側の支線に任意の値の電圧を印加して、下流側の支線の電圧と各閾値とを比較して、比較結果に基づいて判定復旧した否か（つまり、短絡が解消したか否か）を判定し、復旧したと判定した場合には、各開閉スイッチを閉じてもよい。
【０１２３】
（処理の省略について）
また、実施の形態１の図４のＳＡ１の判定にて各開閉スイッチを開閉しているが、例えば、短絡が発生しているものと判定した場合、閉じずに開いた状態を維持して、ＳＡ２の処理を省略してもよい。
【０１２４】
（受付部について）
また、実施の形態３の切離用中継装置１ｂの不図示の筐体に制御入力部を設け、また、制御部１５ｂに受付部を設けてもよい。「制御入力部」とは、切替手段をマニュアル制御するためのマニュアル入力をユーザが入力する制御入力手段であり、例えば、一次側切替スイッチＳｗ１１〜Ｓｗ１４及び二次側切替スイッチＳｗ４１〜Ｓｗ４４の組み合わせを切り替えるためのディップスイッチとして構成することができる。また、「受付部」とは、切替手段をマニュアル制御するためのマニュアル入力を受け付ける受付手段であり、例えば、制御入力部であるディップスイッチによる切替を受け付ける。そして、制御部１５ｂは、実施の形態３の切替処理に加えて又は代わりに、受付部が受け付けたマニュアル入力に基づいて、一次側切替スイッチＳｗ１１〜Ｓｗ１４及び二次側切替スイッチＳｗ４１〜Ｓｗ４４を切り替える。ここでは、例えば、兼用一次側端子Ｔｉ３１及び兼用二次側端子Ｔｏ３１が、伝送用開閉スイッチＳｗ２１を介して電気的に接続されるように切り替えるマニュアル入力をディップスイッチにて、ユーザが入力した場合、受付部が当該入力を受け付けた上で、制御部１５ｂが切り替えを行う。このように構成した場合、マニュアル入力に基づいて切り替えることにより、例えば、ユーザの意図通りに切り替えることができるので、切離用中継装置１ｂの使い勝手を向上させることが可能となる。
【０１２５】
（受付部の特徴の組み合わせについて）
また、上述の「（受付部について）」で説明した特徴と、実施の形態３で説明した特徴とを相互に組み合わせてもよい。この場合、実施の形態３の切離用中継装置１ｂの不図示の筐体に制御入力部を設け、また、制御部１５ｂに受付部を設けた上で、制御部１５ｂが、設定情報に基づいて、実施の形態３の切替処理にて一次側切替スイッチＳｗ１１〜Ｓｗ１４及び二次側切替スイッチＳｗ４１〜Ｓｗ４４を切り替える処理（第１切替処理）、又は、受付部が受け付けたマニュアル入力に基づいて、一次側切替スイッチＳｗ１１〜Ｓｗ１４及び二次側切替スイッチＳｗ４１〜Ｓｗ４４を切り替える処理（第２切替処理）を選択し、選択した何れかの処理を行うように構成してもよい。なお、「設定情報」とは、第１切替処理又は第２切替処理の何れを実行するかを判断する基準となる情報であり、例えば、記録部１４ｂ又は制御部１５ｂのＲＡＭ等に格納されている情報であり、一例としては、ユーザが自由に設定できる情報である。なお、設定情報の設定手法（格納手法）は任意であり、例えば、切離用中継装置１ｂの不図示の入力手段（例えば、設定用のスイッチ等）を介して、施工時にユーザが切離用中継装置１ｂに入力することにより、設定されることとしてもよい。そして、この設定情報については、ユーザが入力手段を介して入力する作業を行うことにより、変更可能となっていることとする。このように構成した場合、マニュアル入力に基づいて切り替える第１切替処理、又は入力手段への入力に基づいて切り替える第２切替処理のうちの一方の処理を行うことにより、例えば、ユーザの意図通りに切り替えたり、自動的に切り替えたりすることができるので、ユーザのニーズに応じて切替処理を選択させることができ、使い勝手及び防災性を向上させることが可能となる。
【０１２６】
（切替状態出力部について）
また、実施の形態３の切離用中継装置１ｂの制御部１５ｂに切替状態出力部を設けてもよい。ここで、「切替状態出力部」とは、切替手段による切替状態を出力する切替状態出力手段である。切替状態出力部の具体的な種類や構成は任意であるが、例えば、切離用中継装置１ｂに一次側切替スイッチＳｗ１１〜Ｓｗ１４及び二次側切替スイッチＳｗ４１〜Ｓｗ４４の切替状態を示す表示灯（例えば、ＬＥＤ等）が設けられていることとし、この表示灯の表示態様（例えば、色、表示パターン等）にて切替状態を出力するように構成してもよいし、切替状態を示す信号を伝送支線Ｌ２１を介して受信機９に出力して報知するように構成してもよい。このように構成した場合、切替状態を出力することにより、例えば、ユーザに対して切離用中継装置１ｂの状態を報知することができるので、切離用中継装置１ｂを容易に管理することが可能となる。
【０１２７】
（診断部について）
また、実施の形態１の切離用中継装置１の制御部に診断部を設けてもよい。ここで、「診断部」とは、切離用中継装置１を診断する診断手段である。「診断」とは、切離用中継装置１の少なくとも一部の機能が正常であるか否を確認することである。診断部の具体的な種類や構成は任意であるが、例えば、防災システム１００の動作中に短絡が発生していないにも関わらず切離用中継装置１の各開閉スイッチを開いた場合、絶えず防災管理を行う観点から好ましくないので、仮想的な動作を行うこととし、例えば、診断部が、図４のＳＡ１にて異常が発生したものと判定し（ＳＡ１のＹＥＳ）場合と同様な条件を仮想的に制御部１５に与えて、制御部１５が切り離しの制御を行おうとするか否かを診断してもよい。なお、ここでは、診断部からの仮想的な条件に基づく制御部１５による切り離しの制御については、前述の観点から実際に当該制御が行われないように処理することとする。また、例えば、受信機９側と防災設備側とが診断により遮断されることを防止するためのバイパス回路を設けた上で、診断部が、図４のＳＡ１にて異常が発生したものと判定し（ＳＡ１のＹＥＳ）場合と同様な条件を制御部１５に与えて、制御部１５が実際に切り離しの制御を行おうとするか否かを診断してもよい。このように構成した場合、切離用中継装置１を診断することにより、例えば、切離用中継装置１が正常であるか否を常に把握することができるので、切離用中継装置１を正常な状態に維持することができ、防災性を向上させることが可能となる。
【０１２８】
（二次側の分岐について）
また、実施の形態１の図２の切離用中継装置１において、伝送用開閉スイッチＳＷ１の下流側にて分岐して、１つの伝送用一次側端子Ｔｉ１１に対して伝送用二次側端子を複数設けてもよい。また、同様にして、１つの制御用一次側端子に対して制御用二次側端子を複数設けてもよい。
【０１２９】
（モジュール化について）
また、実施の形態１の図２の切離用中継装置１において、各一次側端子と各開閉スイッチと各二次側端子による形成されるグループを単位としてモジュール化した上で、必要に応じて各モジュールを増減して用いてもよい。
【０１３０】
（その他の機能）
また、実施の形態１の切離用中継装置１に対して、本体内蔵形式又はプラグイン形式にて、その他の機能を実装してもよく、例えば、避雷機能を実装してもよく、あるいは、ＭＲＩの電磁波によるノイズが上流側に伝達されることを防止するノイズ防止機能を実装してもよい。
【０１３１】
（異常について）
また、上記各実施の形態においては、「異常」が短絡である場合を例示して説明したがこれに限らず、断線や当該断線に伴うノイズ、チャタリング等を「異常」であることとし、当該ノイズやチャタリング等の悪影響が広がることを防止するために、電気的に切り離しを行うように構成してもよい。
【０１３２】
（特徴について）
また、各実施の形態の特徴及び変形例の特徴を任意に組み合わせてもよい。
【０１３３】
（付記）
付記１の中継装置は、中継装置であって、防災受信機側からの電力又は電気信号が入力される複数の入力手段と、前記複数の入力手段に入力された電力又は電気信号を出力する複数の出力手段であって、防災設備が電気的に接続される複数の出力手段と、電気的に開閉する複数の開閉手段と、を備え、前記複数の入力手段各々と前記複数の出力手段各々とは、前記複数の開閉手段各々を介して相互に電気的に接続されており、前記複数の開閉手段は、自己よりも下流側で異常が発生していない場合に、閉じて電気的に接続し、自己よりも下流側で異常が発生した場合に、開いて電気的に遮断する。
【０１３４】
付記２の中継装置は、付記１に記載の中継装置において、前記複数の入力手段に入力された電力又は電気信号を中継する複数の中継手段、を備えており、前記複数の入力手段各々は、前記複数の開閉手段各々と前記複数の出力手段各々との間に電気的に接続されている。
【０１３５】
付記３の中継装置は、付記１又は２に記載の中継装置において、前記複数の開閉手段は、前記防災受信機側からの電力について開閉する電力開閉手段と、前記防災受信機側からの電気信号について開閉する電気信号開閉手段であって、前記電力開閉手段とは択一的に用いられる前記電気信号開閉手段と、を備えており、前記中継装置は、前記複数の入力手段各々と前記複数の出力手段各々とを、前記電力開閉手段を介して相互に電気的に接続するか、前記電気信号開閉手段を介して相互に電気的に接続するかを切り替える切替手段、を備える。
【０１３６】
付記４の中継装置は、付記３に記載の中継装置において、前記切替手段をマニュアル制御するためのマニュアル入力を受け付ける受付手段、を備え、前記切替手段は、前記受付手段が受け付けたマニュアル入力に基づいて切り替える。
【０１３７】
付記５の中継装置は、付記３に記載の中継装置において、前記切替手段は、前記複数の入力手段への入力に基づいて切り替える。
【０１３８】
付記６の中継装置は、付記３に記載の中継装置において、前記切替手段をマニュアル制御するためのマニュアル入力を受け付ける受付手段、を備え、前記切替手段は、前記受付手段が受け付けたマニュアル入力に基づいて切り替える第１切替処理、又は、前記複数の入力手段への入力に基づいて切り替える第２切替処理のうちの一方の処理を行う。
【０１３９】
付記７の中継装置は、付記３から６の何れか一項に記載の中継装置において、前記切替手段による切替状態を出力する切替状態出力手段、を備える。
【０１４０】
付記８の中継装置は、付記１から７の何れか一項に記載の中継装置において、前記中継装置を診断する診断手段、を備える。
【０１４１】
（付記の効果）
付記１に記載の中継装置によれば、電力又は電気信号が入力される複数の入力手段と、複数の出力手段と、複数の開閉手段とを備えることにより、例えば、１つの中継装置にて防災受信機と複数の防災設備との間を開閉することができるので、中継装置の個数を低減することができ、防災システムについて設置スペースを低減し且つコストを低減することが可能となる。また、例えば、中継装置の個数を低減することにより、環境負荷を低減することが可能となる。また、例えば、１つの中継装置にて電力及び電気信号を遮断する機能を有するので、従来のように短絡切離用中継器を２種類製造する場合に比べて、部品点数を減少させることができ、中継装置の低コスト化を図ることが可能となる。
【０１４２】
付記２に記載の中継装置によれば、中継手段を備えることにより、例えば、１つの中継装置にて従来の中継器（例えば、ベル用中継器、及び防排煙用中継器等）の機能も実現することができるので、中継装置とは別に設けられる従来の中継器の個数を低減することができ、防災システムについて設置スペース及びコストを一層低減することが可能となる。
【０１４３】
付記３に記載の中継装置によれば、切替手段を備えることにより、例えば、中継装置の各入力手段に対して電気信号又は電力の何れを入力しても正常に動作させることができるので、あらゆる現場に対応できる使い勝手のよい中継装置を提供することが可能となる。
【０１４４】
付記４に記載の中継装置によれば、マニュアル入力に基づいて切り替えることにより、例えば、ユーザの意図通りに切り替えることができるので、中継装置の使い勝手を向上させることが可能となる。
【０１４５】
付記５に記載の中継装置によれば、入力手段への入力に基づいて切り替えることにより、例えば、自動的に切り替えることができるので、ユーザによる切替の手間を省いたり、ヒューマンエラーの発生を防止することができ、使い勝手及び防災性を向上させることが可能となる。
【０１４６】
付記６に記載の中継装置によれば、マニュアル入力に基づいて切り替える第１切替処理、又は入力手段への入力に基づいて切り替える第２切替処理のうちの一方の処理を行うことにより、例えば、ユーザの意図通りに切り替えたり、自動的に切り替えたりすることができるので、ユーザのニーズに応じて切替処理を選択させることができ、使い勝手及び防災性を向上させることが可能となる。
【０１４７】
付記７に記載の中継装置によれば、切替状態を出力することにより、例えば、ユーザに対して中継装置の状態を報知することができるので、中継装置を容易に管理することが可能となる。
【０１４８】
付記８に記載の中継装置によれば、中継装置を診断することにより、例えば、中継装置が正常であるか否を常に把握することができるので、中継装置を正常な状態に維持することができ、防災性を向上させることが可能となる。
【符号の説明】
【０１４９】
１        切離用中継装置
１ａ      切離用中継装置
１ｂ      切離用中継装置
９        受信機
１１      一次側端子群
１１ｂ    一次側端子群
１２      二次側端子群
１２ａ    二次側端子群
１２ｂ    二次側端子群
１３      接点群
１３ａ    接点群
１３ｂ    接点群
１４      記録部
１４ａ    記録部
１４ｂ    記録部
１５      制御部
１５ａ    制御部
１５ｂ    制御部
２１      ベル装置
２２      防火戸装置
２３      ガス漏れ検知器
３１      ベル用中継器
３２      防排煙用中継器
３３      ガス用中継器
９１      第１機器群
９２      第２機器群
１００    防災システム
１００ａ  防災システム
１００ｂ  防災システム
３１１    ベル用中継回路
３２１    防排煙用中継回路
３３１    ガス用中継回路
Ｌ１１    伝送幹線
Ｌ１２    第１制御幹線
Ｌ１３    第２制御幹線
Ｌ１４    第３制御幹線
Ｌ２１    伝送支線
Ｌ２２    第１制御支線
Ｌ２３    第２制御支線
Ｌ２４    第３制御支線
Ｌ２１１  一次側伝送支線
Ｌ２２１  一次側第１制御支線
Ｌ２３１  一次側第２制御支線
Ｌ２４１  一次側第３制御支線
Ｌ２１２  二次側伝送支線
Ｌ２２２  二次側第１制御支線
Ｌ２３２  二次側第２制御支線
Ｌ２４２  二次側第３制御支線
Ｌ３１    ベル用回線
Ｌ３２    防排煙用回線
Ｌ３３    ガス用回線
Ｓｗ１    伝送用開閉スイッチ
Ｓｗ１ａ  伝送用開閉スイッチ
Ｓｗ２    第１制御用開閉スイッチ
Ｓｗ２ａ  第１制御用開閉スイッチ
Ｓｗ３    第２制御用開閉スイッチ
Ｓｗ３ａ  第２制御用開閉スイッチ
Ｓｗ４    第３制御用開閉スイッチ
Ｓｗ４ａ  第３制御用開閉スイッチ
Ｓｗ１１  一次側切替スイッチ
Ｓｗ２１  伝送用開閉スイッチ
Ｓｗ３１  制御用開閉スイッチ
Ｓｗ４１  二次側切替スイッチ
Ｓｗ１２  一次側切替スイッチ
Ｓｗ２２  伝送用開閉スイッチ
Ｓｗ３２  制御用開閉スイッチ
Ｓｗ４２  二次側切替スイッチ
Ｓｗ１３  一次側切替スイッチ
Ｓｗ２３  伝送用開閉スイッチ
Ｓｗ３３  制御用開閉スイッチ
Ｓｗ４３  二次側切替スイッチ
Ｓｗ１４  一次側切替スイッチ
Ｓｗ２４  伝送用開閉スイッチ
Ｓｗ３４  制御用開閉スイッチ
Ｓｗ４４  二次側切替スイッチ
Ｔｉ１１  伝送用一次側端子
Ｔｉ１２  第１制御用一次側端子
Ｔｉ１３  第２制御用一次側端子
Ｔｉ１４  第３制御用一次側端子
Ｔｏ１１  伝送用二次側端子
Ｔｏ１２  第１制御用二次側端子
Ｔｏ１３  第２制御用二次側端子
Ｔｏ１４  第３制御用二次側端子
Ｔｏ２１  第１制御用二次側端子
Ｔｏ２２  第２制御用二次側端子
Ｔｏ２３  第３制御用二次側端子
Ｔｉ３１  兼用一次側端子
Ｔｉ３２  兼用一次側端子
Ｔｉ３３  兼用一次側端子
Ｔｉ３４  兼用一次側端子
Ｔｏ３１  兼用二次側端子
Ｔｏ３２  兼用二次側端子
Ｔｏ３３  兼用二次側端子
Ｔｏ３４  兼用二次側端子
【図１】
2020018142.tif 000003
【図２】
2020018142.tif 000004
【図３】
2020018142.tif 000005
【図４】
2020018142.tif 000006
【図５】
2020018142.tif 000007
【図６】
2020018142.tif 000008
【図７】
2020018142.tif 000009
【図８】
2020018142.tif 000010
【図９】
2020018142.tif 000011